(57)【特許請求の範囲】
【請求項１】
複数の画素からなる画像が表示される表示領域を複数の領域に区分し、各領域に対応付けて、該領域に相当する画素の一又は複数の色成分毎の強度に対する補正量を記憶しておき、画像信号が含む各画素の色成分毎の強度を前記補正量に基づいて補正する方法において、
記憶されている前記補正量に対する係数を受け付け、
画像信号が含む各画素の内の予め定めてある特定の領域に相当する画素の色成分毎の強度を、前記特定の領域に対応付けて予め記憶されている補正量を用いて補正し、
前記特定の領域以外の領域に相当する各画素の色成分毎の強度を、前記領域に対応付けられている補正量、前記特定の領域に対応付けられている補正量、及び受け付けた係数を用いて補正する
ことを特徴とする補正方法。
【請求項２】
前記特定の領域以外の領域に相当する画素の色成分毎の強度を、夫々の領域に対応付けられている補正量と前記特定の領域に対応付けられている補正量との差分に、受け付けた係数を乗じて得られた演算後の補正量を用いて補正する
ことを特徴とする請求項１に記載の補正方法。
【請求項３】
領域毎に異なる係数を受け付けること
を特徴とする請求項１又は２に記載の補正方法。
【請求項４】
時間の経過に応じた係数を受け付けること
を特徴とする請求項１乃至３のいずれかに記載の補正方法。
【請求項５】
領域毎に、各領域の温度に応じた係数を受け付けること
を特徴とする請求項１乃至３のいずれかに記載の補正方法。
【請求項６】
前記特定の領域は、画像の中央部であること
を特徴とする請求項１乃至５のいずれかに記載の補正方法。
【請求項７】
前記色成分毎の強度を夫々階調値により表わすこと
を特徴とする請求項１乃至６のいずれかに記載の補正方法。
【請求項８】
複数の画素からなる画像が表示される表示領域を複数に区分した各領域に対応付けて、該領域に相当する画素の一又は複数の色成分毎の強度に対する補正量を予め記憶する手段と、画像信号が含む各画素の色成分毎の強度を前記補正量に基づき補正する補正手段とを備え、該補正手段によって補正された画像信号に基づき画像を表示する表示装置において、
記憶されている前記補正量に対する係数を受け付ける受付手段を備え、
前記補正手段は、
画像信号が含む各画素の内の予め定めてある特定の領域に相当する画素の色成分毎の強度を、前記特定の領域に対応付けて予め記憶されている補正量を用いて補正し、
特定の領域以外の領域に相当する各画素の色成分毎の強度を、前記領域に対応付けられている補正量、特定の領域に対応付けられている補正量、及び受け付けた係数を用いて補正するようにしてあること
を特徴とする表示装置。
【請求項９】
前記補正手段は、
前記特定の領域以外の領域に相当する画素の色成分毎の強度を、夫々の領域に対応付けられている補正量と前記特定の領域に対応付けられている補正量との差分に、受け付けた係数を乗じて得られた演算後の補正量を用いて補正するようにしてあること
を特徴とする請求項８に記載の表示装置。
【請求項１０】
コンピュータに、複数の画素からなる画像が表示される表示領域を複数に区分した各領域に対応付けて記憶してある補正量に基づいて、画像信号が含む各画素の色成分毎の強度を補正するためのコンピュータプログラムにおいて、
記憶されている前記補正量に対する係数を受け付けるステップ、及び、
予め定めてある特定の領域に含まれる画素の色成分毎の強度を、前記特定の領域に対応付けられている補正量を用いて補正するステップ、
前記特定の領域以外の領域夫々に対応付けられている補正量と特定の領域に対応付けられている補正量との差分を求めるステップ、
求めた差分に受け付けた係数を乗算し、前記特定の領域以外の領域夫々について補正量を算出するステップ、及び、
前記特定の領域以外の領域に含まれる各画素の色成分毎の強度を、夫々算出した補正量を用いて補正するステップ
を実行させることを特徴とするコンピュータプログラム。
【発明の詳細な説明】
【技術分野】
【０００１】
本発明は、表示装置における輝度ムラ及び色ムラを補正する補正方法に関する。特に、輝度ムラ又は色ムラを補正するための補正量を一度較正によって決定した場合には以後、輝度ムラ又は色ムラの状況が変化しても再度の較正を不要とすることができる補正方法、該補正方法を実施する表示装置及びコンピュータプログラムに関する。
【背景技術】
【０００２】
ＬＣＤ（Liquid Crystal Display）モニタ、ＰＤＰ（Plasma Display Panel）モニタ、有機ＥＬ（Electro Luminescence）モニタ等の表示装置は、ＬＣＤモニタであれば個々の製品の液晶パネルの特性、ＰＤＰモニタであれば素子毎の発光特性により、表示領域に空間的な輝度ムラ、色ムラが発生する。
【０００３】
輝度ムラに対する従来の補正方法として、表示装置では全般的に表示領域の中央部と比較して周辺部の輝度レベルが低下する傾向があることから、中央部の輝度を周辺部の輝度に相当するように、中央部に含まれる各画素の輝度を低下させる方法が特許文献１に開示されている。具体的には、表示領域を複数の領域に区分し、表示領域全体に均一な輝度となるべき画像を表示させ、実際の表示領域における輝度を測定して周辺部の輝度を目標輝度とした場合に他の領域の輝度が目標輝度となるように画像信号を補正する補正量を予め領域毎に求めておく。求めた補正量を領域毎に記憶しておくことにより、実際の画像を表示させる際に、画像信号が含む色成分毎の強度を補正量に基づいて補正し、中央部の輝度を周辺部と同程度の輝度に揃えて輝度ムラを抑えることができる。
【０００４】
図１３は、従来の輝度ムラに対する補正方法を概念的に示す説明図である。図１３の説明図では、３×３の９領域に区分された表示領域中の各領域における（ａ）補正前の実測の輝度レベル、（ｂ）各領域に対応付けられる補正量、（ｃ）補正後の輝度レベルを、模式的に水平に並べて示した表示領域上に表わしている。なお表示領域は夫々、０から２５５までの階調値で表わした画像信号の輝度レベル別に３層に重ねて表わしている。最下層は輝度に対応する階調値が１９２である場合、中層は階調値が２２４である場合、最上層は階調値が２５５である場合の補正前の実際の各領域での輝度レベル、補正量、補正後の各領域での輝度レベルを夫々表わしている。
【０００５】
図１３（ａ）は、実際に測定した輝度に基づいて中央部の輝度を１００として各領域の輝度レベルを示したものである。図１３（ａ）には例えば、表示領域全体に輝度の階調値が２５５となる均一画像を表示させた場合、実際には中央部の輝度レベルと比較して周辺部の輝度レベルが低下して表示されることが示されている。同様に、輝度の階調値が２２４、１９２となる均一画像を表示させた場合も、周辺部の輝度レベルが中央部の輝度レベルと比較して８割から９割に低下して表示されることが示されている。
【０００６】
図１３（ｂ）は、各領域に相当する画素の輝度レベルに対する補正量を百分率で示している。例えば、図１３（ｂ）の内の、輝度の階調値が２５５である場合の中央部の領域に相当する画素の輝度レベルに対する補正量は、中央部の輝度レベル１００を周辺部の輝度レベルの内の最も低いレベルである８５に相当させるために、輝度レベルを１５％低下させる補正が必要であることが示されている。また、輝度レベルが９５の領域に相当する画素の画像信号に対しては、輝度レベルを１１％低下させるための補正が必要であることが示されている。
【０００７】
図１３（ｃ）は、図１３（ｂ）に示した補正量によって補正された後の各領域の輝度レベルを示している。表示領域全体に輝度の階調値が２５５に相当する均一画像を表示させた場合、図１３（ｂ）に示した補正量によって補正前の中央部の輝度を１００とすると全領域で輝度レベルが８５に均一化される結果が表わされている。
【０００８】
このように、特許文献１に開示されているように補正量を求めて記憶しておき、補正量を用いて補正をすることによって輝度ムラを抑えることができ、更にカラー画像信号の各色成分毎の強度に対しても同様に補正量を求めて記憶しておくことにより、色ムラを抑えることができる。
【０００９】
ただし、輝度ムラ及び色ムラは表示装置のパネルの姿勢の変化、温度の時間的変化及び経年劣化に応じて傾向が変化する。この場合、記憶しておいた補正量では厳密に輝度ムラ及び色ムラを抑えることができなくなる可能性があるので、このように状態が変化した場合には改めて補正量を求めるために再度、表示領域における輝度を実測して補正量を求め直す必要がある。
【００１０】
これに対し、表示装置の向き、温度、動作時間等の各状態毎に補正量を複数記憶しておき、検出された状態に基づきいずれかの補正量を選択して補正に用いる方法が特許文献２に開示されている。
【特許文献１】特開２００７−１１４４２７号公報
【特許文献２】特開２００７−１７８７０９号公報
【発明の開示】
【発明が解決しようとする課題】
【００１１】
特許文献２に開示されている技術により、輝度ムラ又は色ムラの状況が表示装置の状態に応じて変化した場合であっても適切な補正量を選択して補正を行なうので、表示装置の状態によらずムラのない画像を表示させることができる。
【００１２】
表示装置でより高精細な画像表示を実現するためには輝度ムラ又は色ムラを抑えるための補正のみならず、他の条件に応じて画像信号を変換する処理が行なわれる。例えば、滑らかな階調特性を実現するために、表示装置の出力の特性に応じて画像信号を変換する処理が行なわれる場合がある。他には、色温度の設定のため又は色表現を所望の表色系とするために画像信号に含まれる色成分を変換させる処理が行なわれる場合がある。
【００１３】
このような場合、実際の表示装置からの表示光に対して測定される輝度又は色彩と、画像信号が表わす輝度又は色成分との関係を較正することによって変換係数が求められる。そして、変換係数を求める際には表示装置では輝度ムラ及び色ムラが補正された状態で較正が行なわれる。しかしながら、較正を一度行なった後に表示装置の状態の変化に応じて単純に補正量を変更して輝度ムラ又は色ムラを抑えようとする場合、較正によって得られた表示装置の表示光と画像信号が表わす輝度又は色成分との関係が崩れる。したがって、高精細な階調特性、厳密な色表現等のためには較正が改めて必要となり、表示装置の状態に応じて補正量を変化させる都度較正を行なうのは非常に煩雑である。
【００１４】
本発明は斯かる事情に鑑みてなされたものであり、輝度ムラ又は色ムラを補正するための補正量を、表示領域中の特定の領域とその他の領域とで区別し、特定の領域では補正量を変更することなしに補正し、他の領域では補正量と適切な係数とを用いて補正を行なう構成により、輝度ムラ又は色ムラの状況に応じて補正量を変更するとしても、特定の領域で較正により得られる関係を維持したまま輝度ムラ又は色ムラを補正することができ、再度の較正を不要とすることができる補正方法、表示装置及びコンピュータプログラムを提供することを目的とする。
【００１５】
本発明の他の目的は、予め記憶してある領域毎に異なる補正量を、更に領域毎に異なる係数で調整して補正を行なう構成により、較正を再度行なうことなしに、状況に応じた輝度ムラ又は色ムラの補正を高精度に行なうことができる補正方法を提供することにある。
【００１６】
本発明の他の目的は、予め記憶してある領域毎に異なる補正量を時間の経過又は温度の変化等の表示装置の状態に応じた係数で調整して補正を行なう構成により、較正を再度行なうことなしに状況に応じた輝度ムラ又は色ムラの補正を高精度に行なうことができる補正方法を提供することにある。
【課題を解決するための手段】
【００１７】
第１発明に係る補正方法は、複数の画素からなる画像が表示される表示領域を複数の領域に区分し、各領域に対応付けて、該領域に相当する画素の一又は複数の色成分毎の強度に対する補正量を記憶しておき、画像信号が含む各画素の色成分毎の強度を前記補正量に基づいて補正する方法において、記憶されている前記補正量に対する係数を受け付け、画像信号が含む各画素の内の予め定めてある特定の領域に相当する画素の色成分毎の強度を、前記特定の領域に対応付けて予め記憶されている補正量を用いて補正し、前記特定の領域以外の領域に相当する各画素の色成分毎の強度を、前記領域に対応付けられている補正量、前記特定の領域に対応付けられている補正量、及び受け付けた係数を用いて補正することを特徴とする。
【００１８】
第２発明に係る補正方法は、前記特定の領域以外の領域に相当する画素の色成分毎の強度を、夫々の領域に対応付けられている補正量と前記特定の領域に対応付けられている補正量との差分に、受け付けた係数を乗じて得られた演算後の補正量を用いて補正することとを特徴とする。
【００１９】
第３発明に係る補正方法は、領域毎に異なる係数を受け付けることを特徴とする。
【００２０】
第４発明に係る補正方法は、時間の経過に応じた係数を受け付けることを特徴とする。
【００２１】
第５発明に係る補正方法は、領域毎に、各領域の温度に応じた係数を受け付けることを特徴とする。
【００２２】
第６発明に係る補正方法は、前記特定の領域は、画像の中央部であることを特徴とする。
【００２３】
第７発明に係る補正方法は、前記色成分毎の強度を夫々階調値により表わすことを特徴とする。
【００２４】
第８発明に係る表示装置は、複数の画素からなる画像が表示される表示領域を複数に区分した各領域に対応付けて、該領域に相当する画素の一又は複数の色成分毎の強度に対する補正量を予め記憶する手段と、画像信号が含む各画素の色成分毎の強度を前記補正量に基づき補正する補正手段とを備え、該補正手段によって補正された画像信号に基づき画像を表示する表示装置において、記憶されている前記補正量に対する係数を受け付ける受付手段を備え、前記補正手段は、画像信号が含む各画素の内の予め定めてある特定の領域に相当する画素の色成分毎の強度を、前記特定の領域に対応付けて予め記憶されている補正量を用いて補正し、特定の領域以外の領域に相当する各画素の色成分毎の強度を、前記領域に対応付けられている補正量、特定の領域に対応付けられている補正量、及び受け付けた係数を用いて補正するようにしてあることを特徴とする。
【００２５】
第９発明に係る表示装置は、第８発明において前記補正手段は、前記特定の領域以外の領域に相当する画素の色成分毎の強度を、夫々の領域に対応付けられている補正量と前記特定の領域に対応付けられている補正量との差分に、受け付けた係数を乗じて得られた演算後の補正量を用いて補正するようにしてあることを特徴とする。
【００２６】
第１０発明に係るコンピュータプログラムは、コンピュータに、複数の画素からなる画像が表示される表示領域を複数に区分した各領域に対応付けて記憶してある補正量に基づいて、画像信号が含む各画素の色成分毎の強度を補正するためのコンピュータプログラムにおいて、記憶されている前記補正量に対する係数を受け付けるステップ、及び、予め定めてある特定の領域に含まれる画素の色成分毎の強度を、前記特定の領域に対応付けられている補正量を用いて補正するステップ、前記特定の領域以外の領域夫々に対応付けられている補正量と特定の領域に対応付けられている補正量との差分を求めるステップ、求めた差分に受け付けた係数を乗算し、前記特定の領域以外の領域夫々について補正量を算出するステップ、及び、前記特定の領域以外の領域に含まれる各画素の色成分毎の強度を、夫々算出した補正量を用いて補正するステップを実行させることを特徴とする。
【００２７】
本発明では、画像信号が含む各画素の色成分毎の強度が、各画素が相当する領域に対応付けられる補正量、及び該補正量に対する係数に基づいて補正される。輝度ムラ又は色ムラを実測して求めた補正量を、補正量に対する係数を調整することにより表示装置の状況に適宜対応させることができる。即ち、補正量を実測に基づき求めた後は、係数の設定のみで各領域の補正量を調整することができ、表示装置の状況が変化したことに応じて輝度ムラ又は色ムラの補正量を何度も求め直す必要がなくなる。
【００２８】
更に本発明では、各領域の補正量は特定の領域とその他の領域とで区別され、特定の領域とその他の領域とで別々に係数によって補正量を調整することが可能となる。特定の領域に相当する画像信号は、当該特定の領域に対応付けて記憶してある補正量を用いて補正される。つまり、受け付けられた係数が用いられることなしに補正される。一方、特定の領域以外の領域に相当する画像信号は、夫々の領域に対応付けて記憶してある補正量に、受け付けた係数によって補正度合いが調整された補正量が用いられて補正される。これにより、予め記憶されている補正量によって輝度ムラ又は色ムラが補正された状態で実行される較正によって得られる階調特性又は色表現等の関係が、少なくとも特定の領域に相当する画像信号では維持される。また、予め記憶しておく補正量を変更することなしに係数によって調整することが可能となるので、補正量を適宜変更してきめ細やかなムラ補正が可能となると共に、補正量を予め多数記憶しておく必要がない。
【００２９】
本発明では更に、特定の領域以外の領域に相当する画像信号の各色成分の強度は、特定の領域に対応付けられている補正量と、各領域に対応付けられている補正量との差分に、受け付けられた係数を乗じて得られた補正量を用いて補正される。これにより、特定の領域の画像信号に対する補正量を基準として、較正の際に用いられていた各領域の補正量の分布即ち較正時のムラ分布の傾向が維持される。
【００３０】
本発明では、領域毎に異なる係数が受け付けられる。表示装置の状況に応じて、領域夫々で異なる傾向の輝度ムラ又は色ムラが発生する場合に、各領域の補正量を異なる補正度合いで調整することが可能となる。
【００３１】
本発明では、時間の経過に応じた係数が受け付けられる。表示装置の輝度ムラ又は色ムラは時間の経過に応じて異なった傾向で起こるのに対し、時間の経過に応じた補正度合いとなるように補正量を調整することが可能となる。
【００３２】
本発明では、表示部の各領域の温度に応じた係数が受け付けられる。表示装置の輝度ムラ又は色ムラは領域における温度に応じて起こるのに対し、温度に応じた補正度合いとなるように補正量を調整することが可能となる。
【００３３】
本発明では、表示装置の表示面の特定の領域は中央部とする。階調表現又は色表現の較正をする際には、実際に出力される色成分毎の強度が周辺部よりも比較的安定している中央部で較正が行なわれる。表示領域の中央部で安定する階調表現又は色表現が維持されつつ輝度ムラ又は色ムラの補正が行なわれる。
【００３４】
本発明では、係数は外部から受け付けられる。表示装置の状況に応じて、任意の係数を用いて補正がされるので精度よく、且つ実際の状況に応じた柔軟なムラ補正が可能となる。
【発明の効果】
【００３５】
本発明による場合、画像信号が含む各色成分の強度を実測のムラに基づく補正量のみならず補正量に対する補正度合いを示す係数を用いて補正度合いを調整することにより、輝度ムラ又は色ムラの状況に応じた補正を行なうことができると共に、階調表現又は色表現等の較正の基準とした特定の領域と、その他の領域とを区別して補正度合いを調整して補正を行なうことが可能となる。少なくとも特定の領域での補正量は変更されずに用いられて補正が行なわれることにより、予め記憶されている補正量により輝度ムラ又は色ムラが補正された状態で実行される較正によって得られる階調特性又は色表現等の関係が特定の領域で維持される。特定の領域で較正によって得られる画像信号が含む色成分毎の強度と、実際の階調特性又は色表現等との関係が維持されるように補正することができるので、再度の較正が不要となる。
【００３６】
また、係数によって適宜補正量を変更する構成とするので、多様な状況に応じて補正をする場合であっても、各種状況に対応する補正量を記憶しておく必要がなく、記憶容量を節約することができる。
【００３７】
また、本発明による場合、補正量を係数によって調整して用いることによる表示領域全体の階調特性又は色表現の大きな変化を回避しつつ、係数によって補正の度合いを調整して表示装置の状況に応じた補正を行なうことが可能となる。したがって、状況に応じて補正量を適宜変更た場合であっても、再度の較正を不要とすることができる。
【００３８】
本発明による場合、画像における各領域夫々で異なる係数で調整した補正量を用いて補正することができるので、較正を再度行なうことなしに輝度ムラ又は色ムラを補正することができる上、夫々の状況に応じて高精度に補正を行なうことができる。
【００３９】
本発明による場合、時間の経過又は温度の変化等の表示装置の状況に応じた補正度合いで補正量を調整して補正を行なうことができるので、較正を再度行なうことなしに輝度ムラ又は色ムラを補正することができる上、夫々の状況に応じて高精度に補正を行なうことができる。
【００４０】
また、本発明による場合、輝度及び色成分が安定している中央部を特定の領域とし、中央部を基準に補正量を求めて較正を行なっておき、表示領域の中央部について求めた補正量を維持して補正することにより較正を再度行なうことなしに輝度ムラ又は色ムラを補正することができる上、中央部以外の領域の補正量については係数で調整して状況に応じた補正を行なうことができる。
【発明を実施するための最良の形態】
【００４１】
以下、本発明をその実施の形態を示す図面に基づいて具体的に説明する。
【００４２】
図１は、本発明に係る表示装置の構成を示すブロック図である。表示装置１は、後述する画像信号出力装置２からの画像信号の入力を受け付けるインタフェースである入力部１１と、画像信号が表わす色成分毎の強度を表わす階調値を適宜変換する第１ＬＵＴ（Look Up Table）１２と、輝度ムラ及び色ムラを補正するムラ補正部１３と、表示部１６の階調特性を吸収する補正を行なう第２ＬＵＴ１４と、補正後の階調値を表示部１６に出力する出力部１５と、ＬＣＤパネル、ＰＤＰパネル等とそれらを駆動する駆動回路を含む表示部１６と、ユーザの操作を受け付ける操作部１７と、各情報を記憶する書き換え可能な記憶部１８と、各構成部を制御するＣＰＵ、ＭＰＵ等である制御部１９とを備えている。
【００４３】
第１ＬＵＴ１２、ムラ補正部１３、第２ＬＵＴ１４及び出力部１５はＡＳＩＣ（Application Specific Integrated Circuit；特定用途集積回路）で構成されている。なお、第１ＬＵＴ１２、ムラ補正部１３、第２ＬＵＴ１４及び出力部１５は夫々ＡＳＩＣに限定されるものではなく、ＦＰＧＡ（Field Programmable Gate Array）で構成されてもよく、個々の回路で構成するようにしてもよい。
【００４４】
画像信号出力装置２は、ＰＣ（Personal Computer）、テレビ用チューナー、ＤＶＤ（Digital Versatile Disc）プレーヤー、ゲーム機等の画像信号を出力する装置である。
【００４５】
表示装置１は、画像信号出力装置２から出力される画像信号を入力部１１により受け付け、画像信号に含まれる画像の各色成分の強度を表わす階調値、又は輝度及び色差に相当する階調値に基づき、表示部１６に対応する画像信号を出力部１５により出力し、表示部１６に画像を表示させる。
【００４６】
入力部１１は、画像信号出力装置２から受け付ける画像信号の種類によってはアナログ／デジタル変換の機能を有し、後段の第１ＬＵＴ１２へデジタル信号を入力する。表示部１６に表示させる画像を構成する複数の画素夫々の色成分がＲ（Red：赤成分）Ｇ（Green：緑成分）Ｂ（Blue：青成分）で表わされる場合、入力部１１は、受け付けた画像信号をＲＧＢ夫々の色成分の強度を示す階調値を表わすＲＧＢ信号へ変換して第１ＬＵＴ１２へ入力する。なお、ＲＧＢ信号に限らず他の表色系で各色成分を表わした信号又は輝度成分及び色差成分を夫々表わした信号でもよい。
【００４７】
第１ＬＵＴ１２は、入力部１１から入力されるＲＧＢ信号を受け付け、ＲＧＢの色成分毎の階調値を適宜変換し、表示部１６での所定の階調表現及び色表現を実現する。第１ＬＵＴ１２には、変換のための係数、例えば色空間の設定に応じたカラーマトリックスが記憶されている。第１ＬＵＴ１２は入力された各色成分の階調値をカラーマトリックス等の各種係数を用いて適宜変換し、変換後のＲＧＢ信号をムラ補正部１３へ出力する。
【００４８】
ムラ補正部１３は、第１ＬＵＴ１２から出力された各色成分の階調値に対し、輝度ムラ及び色ムラの補正を行なって出力する。ムラ補正部１３が第１ＬＵＴ１２の後段に配置されるのは、色空間の設定又は所望の階調表現を実現する変換を行なうためには、第１ＬＵＴ１２よりも後段で輝度ムラ、色ムラ等の表示部１６のパネル及び駆動回路個々で異なる特性が吸収されて所定の非特異的な特性とされることが望ましい。第１ＬＵＴ１２よりも後段で表示部１６におけるパネル特性がムラのない均一な特性となっている前提であれば、第１ＬＵＴ１２において所望の色空間又は階調表現を実現ための変換が容易となる。
【００４９】
そしてムラ補正部１３は、本発明に係る補正方法を実施するために後述の記憶部１８に記憶されている補正量を読み出し、更に補正量による補正度合いを示す補正係数に基づいて補正を行なう。ムラ補正部１３による補正の詳細については後述にて説明する。
【００５０】
操作部１７は、表示装置１の正面に露出されているパネルの枠上であってパネル露出部の下方にＯＳＤ（On-Screen Display）のための各種ボタンを含んで構成される。
【００５１】
記憶部１８には、ムラ補正部１３により使用される画像信号の各色成分の階調値に対する補正量が記憶されている。
【００５２】
制御部１９は、操作部１７がボタンの押下を検知した場合に操作部１７によりなされる通知を受け付ける。制御部１９は、操作部１７が含むボタンの内のいずれのボタンが何回押下されたかに応じて、各種設定項目を表わす文字情報及び画像を表示部１６に表示させてＯＳＤ機能を実現する。
【００５３】
図２は、本実施の形態における表示装置１の記憶部１８に記憶される補正量の内容を示す説明図である。図２は、従来技術について説明した図１３と同様に、３×３の９領域に区分された表示領域の各領域における輝度レベル及び補正量を示している。図２（ａ）は補正前の実測の輝度レベル、図２（ｂ）は各領域に対応付けられる補正量、図２（ｃ）は補正後の輝度レベルを示しており、夫々模式的に水平に並べて示す表示領域上に表わし、０から２５５までの階調値で表わした画像信号の輝度レベル別に３層に重ねて表わしている。
【００５４】
図２（ｂ）に示す補正量は、図２（ａ）の実測の輝度に基づいて求められる。図２（ａ）の上段に示すように、表示部１６に輝度に対応する階調値が２５５となる均一画像を表示させた場合に実測される輝度は、中央部の輝度レベルを１００とした場合に周辺部が最大で約１５％低下して表示される。しかしながら、本実施の形態における表示装置１では輝度をできる限り高いままに維持するため、輝度の階調値が最大値である場合には補正をしないようにする。したがって、輝度の階調値が２５５の場合には、階調値に対する補正量は全領域で「０％」である。
【００５５】
図２中の中段の階調値２２４に対する補正量も、表示部１６の表示領域全体で輝度の階調値が２２４となる画像を表示させた場合に実測される輝度に基づいて求められる。図２（ａ）の中段に示すように、表示部１６に階調値が２２４となる均一画像を表示させた場合に実測される輝度は、中央部の輝度レベルを１００とした場合に周辺部が最大で約２０％低下して表示される。これにより、中央部の領域に相当する画像信号であって、輝度の階調値が２２４である画像信号に対する補正量としては、輝度レベルを１００から８０へ低下させるべく「−２０％」が求められる。同様に右上隅の領域に相当する画像信号であって、輝度の階調値が２２４の画像信号に対する補正量としては、輝度を９０から８０へ低下させるべく「−１１％」が求められる。階調値１９２に対する補正量も同様である。
【００５６】
このように、図２（ｂ）補正量を記憶しておき、これを用いて補正することにより、図２（ｃ）夫々に示すように輝度が均一化される。色ムラについても各色成分毎に補正量を記憶しておき、記憶量を用いることによって補正がされる。
【００５７】
そして、出荷前又はユーザが表示装置１を最初に使用する場合などの設定を行なうときには、図２（ｂ）に示す補正量によって輝度ムラが解消されて表示部１６が、入力に対して均一な輝度を特性を実現しており、且つ色ムラも解消されている状況下で、第１ＬＵＴ１２に記憶する各種変換係数を求めるための較正が行なわれる。
【００５８】
このように、実測の輝度に基づいて補正量を記憶しておき、以後補正量が用いられて補正がされた上で階調特性又は色表現等を所望の条件とするための較正が行なわれるが、時を経て表示部１６内部の素子、回路等が劣化するなどにより、表示部１６の輝度ムラ及び色ムラの特性が変化する場合がある。また、表示部１６のパネル温度、表示部１６のパネルの姿勢によっても表示部１６の輝度ムラ及び色ムラの特性が変化する。そこで、一度補正量を求めて記憶しておいたとしても、後に改めて補正量を求めて記憶させ直さなければ、輝度ムラ及び色ムラが解消しない場合がある。しかしながら、再度表示部１６における輝度を実測し、実測に基づいて補正量を求め直して記憶し直すことが必要な構成では煩雑である。更に、補正量を変えた場合には再度、階調表現又は色表現等を所望の特性とするための表示装置１全体に対する較正も改めて必要となる。
【００５９】
そこで、本実施の形態における表示装置１では、予め記憶してある補正量そのものを変更して記憶し直すことなしに、補正係数によって補正量による補正度合いを調整し、画像信号の色成分毎の階調値を、調整後の補正量分だけ輝度が低下するように補正する。ただし、表示装置１では、予め記憶されている補正量で補正された状態での較正によって得られた階調表現又は色表現等の関係性を維持するように補正量が調整される。
【００６０】
表示装置１における画像信号が含む階調値の補正の方法について説明する。図３は、本実施の形態における表示装置１による補正方法の一例を示すフローチャートである。
【００６１】
制御部１９は、補正係数を受け付ける（ステップＳ１）。補正係数は、予め表示装置の状況に応じて記憶部１８に記憶されている複数の補正係数の内のいずれかを選択する構成としてもよいし、操作部１７で実現されるＯＳＤ機能で設定される補正係数を制御部１９が取得する構成としてもよい。
【００６２】
制御部１９は、ムラ補正部１３に入力されている画像信号の輝度に対応する階調値（入力階調値）、及び、画像信号が相当する領域に対応付けられている輝度に対する補正量を記憶部１８から読み出す（ステップＳ２）。また制御部１９は、ムラ補正部１３に入力されている画像信号の輝度に対応する階調値、且つ表示領域の中央部（中央領域）に対応付けられている補正量を記憶部１８から読み出す（ステップＳ３）。
【００６３】
制御部１９又はムラ補正部１３は、ステップＳ２及びステップＳ３で読み出された補正量の差分を求め、求めた差分に補正係数を乗算することにより調整後の補正量を求める（ステップＳ４）。ムラ補正部１３は、求められた調整後の補正量を用いてムラ補正部１３に入力される画像信号の色成分毎の階調値を補正し（ステップＳ５）、後段の第２ＬＵＴ１４へ出力して処理を終了する。
【００６４】
図３のフローチャートに示した処理手順の内のステップＳ４について詳細を説明する。図４は、表示装置１の記憶部１８に予め記憶してある補正量及び調整後の補正量の内容例を示す説明図である。図４は、図２に示した各領域毎の補正量に対応して同様に３×３の９領域に区分された表示領域の各領域における補正量を示す。図４（ａ）は、記憶部１８に予め記憶してある輝度に対応する階調値が２２４である場合の画像信号に対する領域毎の補正量を示している。また、図４（ｂ）は、補正係数が１００％（１．０）である場合、５０％（０．５）である場合及び０％（０．０）である場合に夫々演算によって求められる調整後の補正量を示している。調整後の補正量は、以下に示す式１によって求められる。
【００６５】
調整後の補正量＝（１−補正係数）×（中央領域の補正量−相当する領域の補正量）＋相当する領域の補正量…（１）
【００６６】
図４（ａ）に示した階調値２２４に対して各領域毎に記憶されている補正量を調整する場合、補正係数が１００％（１．０）であるときは式１に示した右辺第１項の（１−補正係数）がゼロになる。したがって、補正係数が１００％であるときは調整後の補正量は予め記憶してある補正量と同値である。即ち、１００％の効果で輝度ムラを補正する。色ムラについても同様に、補正係数によって補正量を調整して用いる。
【００６７】
補正係数が５０％（０．５）であるときは、例えば左上隅に相当する画像信号に対応付けて記憶されている補正量は「０％」であるところ、式１に補正係数と中央領域の補正量「−２０％」を代入して以下式２のように調整後の補正量が求められる。
（１−０．５）×（−２０％−０％）＋０％＝０．５×（−２０％）＝−１０％
…（２）
他の領域についても同様にして、図４（ｂ）の中段に示すように調整後の補正量が求められる。
【００６８】
補正係数が０％（０．０）であるときは、式１に示した右辺第１項の（１−補正係数）が、１（＝１−０．０）となる。したがって、補正係数が０％であるときは調整後の補正量は中央領域の補正量と同値となる。即ち、この場合全領域に対して均一に輝度を低下させることとなるので輝度ムラ、色ムラは補正されない。ただし、中央領域は予め記憶してある較正で用いられた補正量で補正することとなるので階調特性が維持され、他の領域も中央領域の輝度を基準に、輝度分布が補正前の分布と同じ分布となるように補正がされる。
【００６９】
次に、輝度に対応する階調値が２２４である均一な画像を表わす画像信号が表示装置１に入力された場合に、図４に示した調整後の補正量を用いてされる補正の例について説明する。図５は、本実施の形態における表示装置１で、調整後の補正量を用いて補正を行なった場合の各領域の補正後の輝度レベルを示す説明図である。図５も図２、図４と同様に、３×３の９領域に区分された表示領域の各領域における輝度レベル及び補正量を示している。図５（ａ）は各領域における補正前の実測の輝度レベルを示しており、図５（ｂ）は調整後の補正量を補正係数毎に示している。また、図５（ｃ）は補正係数毎に、画像信号の階調値が調整後の補正量によって補正された場合の輝度レベルを示している。
【００７０】
図５（ｃ）の上段は、図５（ａ）に示した実測の輝度レベルに対し、補正係数１００％で調整された補正量で補正した場合の輝度レベルを示している。即ち、図５（ｃ）の上段は、１００％の効果で輝度ムラを補正する場合を示しており、補正後の輝度レベルは補正前の輝度レベルの８割に低下しつつも輝度ムラが解消されている。
【００７１】
図５（ｃ）の中段は、図５（ａ）に示した実測の補正前の輝度レベルを補正係数５０％により調整された補正量で補正した場合の輝度レベルを示している。即ち、図５（ｃ）の中段は、５０％の効果で輝度ムラを補正する場合を示しており、補正後の輝度レベルは表示領域全体で１００％均一化されるわけではないが、中央部と周辺部とで輝度レベルを比較した場合の周辺部の輝度レベルの割合は８０％から９０％へと上がり５０％の効果で輝度ムラが解消されている。なお、図５（ｃ）の上段に示した補正係数１００％の場合の中央部の補正後の輝度と、補正係数５０％の場合の中央部の補正後の輝度とは等しく補正前の輝度の８割であって、輝度が変化していない。そして、その中央部の補正後の輝度レベルに対する周辺の各領域の補正後の輝度レベルの分布は、補正前の輝度レベルの分布と近似している。
【００７２】
図５（ｃ）の下段は、図５（ａ）に示した実測の補正前の輝度レベルを補正係数０％により調整された補正量で補正した場合の輝度レベルを示している。即ち、図５（ｃ）の下段における輝度ムラ効果は０％であり、中央部の輝度レベルに対する周辺領域の輝度レベルの分布は補正前と同じである。左上隅の領域の補正後の輝度レベルは、補正前同様に中央部の輝度レベルに対して８割であり、中央上部の領域の補正後の輝度レベルも、補正前同様に中央部の輝度レベルに対して８割５分である。なお、図５（ｃ）の上段に示した補正係数１００％の場合の中央部の補正後の輝度と、補正係数０％の場合の中央部の補正後の輝度とは等しく補正前の輝度の８割であって、輝度が変化していない。
【００７３】
図５（ｃ）に示すように、補正係数を変化させて補正量を夫々変更した場合であっても、補正後の表示領域中央部の輝度レベルはいずれも補正前の輝度レベルに対して８割である。即ち、表示装置１で較正が行なわれる時点で使用されていた補正効果１００％の補正量によって補正を行なった場合と比して、表示領域全体では補正量を変更したとしても中央部は変更されない。したがって、記憶部１８に記憶されている当初の補正量によって輝度ムラ又は色ムラが補正された状態で実行される較正によって得られる階調特性又は色表現等の関係が、少なくとも中央部では維持される。
【００７４】
これにより、補正係数によって補正量を変更したとしても階調特性又は色表現は維持され、較正を再度行なう必要がない。更に、補正量は当初に実測によって求めた１パターンの補正量を記憶しておけばよいので、記憶部１８の記憶容量を節約できる点で効果的である。
【００７５】
また、表示領域の周辺部の輝度に対する補正量は中央部の補正量を基準として当初の実測に基づいて求めて記憶してある補正量の割合、即ち実測されたムラの分布を維持するように調整することにより、一度較正を行なった時点における階調表現又は色表現の関係が周辺部においても大きく崩れることはなく、効果的に輝度ムラ又は色ムラが補正される。
【００７６】
次に、補正係数を受け付けた場合に、当該補正係数によって輝度に対応する階調値夫々に対する補正について例を挙げて説明する。図６は、補正係数が１００％のときの各階調値に対する調整後の補正量及び補正後の輝度レベルを示す説明図である。図６は図２と同様に、３×３の９領域に区分された表示領域の各領域に対する輝度レベル及び補正量を示している。図６（ａ）は補正前の輝度レベル、図６（ｂ）は各領域に対する調整後の補正量、図６（ｃ）は補正後の輝度レベルを示している。
【００７７】
図２に示した記憶されている補正量と、図６（ｂ）に示す補正係数が１００％のときの補正量は同値であって補正量は調整されることなく、また、入力される画像信号の輝度の階調値が最大値である場合以外は１００％の効果で輝度ムラが補正される。したがって、図６（ｃ）に示すように、輝度に対応する階調値が２２４である均一画像が入力されるときには、予め記憶してある補正量を用いた補正によって補正前の輝度レベルの最低輝度領域に相当させるように均一化される。また、輝度に対応する階調値が１９２である均一画像が入力されるときも、補正量を用いた補正によって補正前の輝度レベルの最低輝度領域に相当させるように均一化される。
【００７８】
図６に示すように、補正係数が１００％のとき補正により、各階調値に対して補正後の中央部の輝度レベルは補正前と比して夫々１００から１００へ、１００から８０へ又は１００から７５へと低下する。
【００７９】
図７は、補正係数が５０％のときの各階調値に対する調整後の補正量及び補正後の輝度レベルを示す説明図である。図７の図の構成は、図６と同様であるので詳細な説明を省略する。補正係数が５０％のときも、入力される画像信号の輝度の階調値が最大値である場合は補正量がゼロであり、調整後の補正量もゼロとなるので補正後の輝度レベルは補正前と同様である。
【００８０】
図７に示す例では、上述のように輝度に対応する階調値が最大値である場合以外は５０％の効果で輝度ムラが補正される。輝度に対応する階調値が２２４の場合には、中央部の輝度レベルに対する周辺部の輝度レベルの低下は補正前と比して８０％から９０％と上がって輝度ムラが５０％の効果で解消されていると同時に、中央部の輝度レベルは補正前の輝度レベルに対して１００から８０へ低下する。同様に、輝度に対応する階調値が１９２の場合には、中央部の輝度レベルに対する周辺部の輝度レベルの低下は補正前と比して７５％から８８％と上がって輝度ムラが５０％の効果で解消されていると同時に、中央部の輝度レベルは補正前と比して１００から７５へ低下する。
【００８１】
このように、補正係数が５０％のとき補正により、輝度の階調値が最大値以外はいずれの階調値に対しても５０％の効果で輝度ムラが解消し、各階調値に対して中央部の補正後の輝度レベルは補正前と比して夫々１００から１００へ、１００から８０へ又は１００から７５へと低下する。
【００８２】
図８は、補正係数が０％のときの各階調値に対する調整後の補正量及び補正後の輝度をレベルを示す説明図である。図８の図の構成は、図６及び図７と同様であるので詳細な説明を省略する。補正係数が０％のときも、入力される画像信号の輝度の階調値が最大値である場合は補正量がゼロであり、調整後の補正量もゼロとなるので補正後の輝度レベルは補正前と同様である。
【００８３】
図８に示す例では、ムラ補正の効果は０％である。したがって、いずれの輝度の階調値２５５、２２４又は１９２に対しても、中央部の輝度レベルに対する周辺部の輝度レベルの低下は補正前と比して夫々、８５％、８０％又は７５％と変わりなく輝度ムラは解消されていない。しかしながら、各階調値に対して中央部の補正後の輝度レベルは補正前と比して夫々１００から１００へ、１００から８０へ又は１００から７５へ低下する。
【００８４】
図６乃至図８に示したように、本実施の形態における表示装置１では、補正係数が１００％、５０％又は０％と変化して夫々補正量が変更されて補正が行なわれたとしても、中央部の補正後の輝度レベルは補正係数によらずに一定となる。図６（ｃ）、図７（ｃ）及び図８（ｃ）を比較してわかるように、いずれの補正係数の場合であっても中央部の補正後の輝度レベルは補正前の輝度レベルに対して階調値が２５５のときは１００から１００へ、階調値が２２４のときは１００から８０へ、階調値が１９２のときは１００から７５へ低下するように補正される。したがって、中央部で行なわれる各種較正によって得られる関係が維持され、且つ表示領域全体での輝度分布は中央部の輝度を基準に大きく変更されない。したがって、表示装置１の状況に応じて補正係数により補正の度合いを調整し、適宜補正を行なったとしても、再度の較正は不要である。
【００８５】
次に、上述に示した本実施の形態における表示装置１における補正方法に対し比較のために、予め記憶してある補正量に対して補正係数を単純に乗じて調整して補正量を変更する場合の補正後の輝度レベルを示す。
【００８６】
図９及び図１０は、記憶してある補正量を単に係数を乗じて変更して補正を行なった場合の補正後の輝度レベルの例を示す説明図である。図９は補正係数が５０％である場合、図１０は補正係数が０％である場合の例を示している。なお、補正係数が１００％の場合は、図６と同様であるため省略している。図９及び図１０の説明図では、３×３の９領域に区分された表示領域中の各領域における（ａ）補正前の実測の輝度レベル、（ｂ）補正量、及び補正係数を乗じた補正量、（ｃ）補正後の輝度レベルを、模式的に水平に並べて示した表示領域上に表わしている。なお表示領域は夫々、０から２５５までの階調値で表わした画像信号の輝度レベル別に３層に重ねて表わしている。
【００８７】
図９及び図１０に示したように、予め記憶してある補正量を、補正係数を乗じることによって単純に増減させて変更した場合、１００％の効果で補正を行った場合の輝度レベルに対していずれの領域の輝度レベルも変化してしまう。各種較正を行なう際には１００％の効果で輝度ムラの補正が行われた状態、即ち、中央部の輝度レベルは輝度の階調値が２５５の場合は１００から１００へ、階調値が２２４の場合は１００から８０へ、階調値が１９２の場合は１００から７５へ低下するように補正され、どのような階調値が入力されても階調値が最大であるとき以外は輝度ムラが解消される状態で較正が行なわれている。しかしながら、補正係数を５０％にした場合は、中央部の輝度レベルは輝度の階調値が２５５のときは１００から１００へ、階調値が２２４の場合は１００から９０へ、階調値が１９２の場合は１００から８８へ低下する。また、補正係数を０％にした場合は、中央部の輝度レベルは補正前の輝度レベルのままとなる。
【００８８】
したがって、補正量を変更した場合、較正によって得られた階調特性及び色表現は、輝度の階調値が最大であるとき以外はいずれの領域でも保障されない。したがって、補正量を変更した場合に厳密な階調特性及び色表現を実現する場合には、再度の較正が必要となる。
【００８９】
図１１は、本発明に係る補正方法で用いられるムラ補正量を示すグラフ図である。図１１の横軸は中央部を基準として左右方向の領域を示し、縦軸は輝度に対応する階調値が２２４である場合の調整後のムラの補正量の大きさを示している。なお、本実施の形態では輝度レベルを低下させる方向に補正を行なっているので補正量の単位は負の符号が付されている。また、図１１（ａ）は本発明の補正方法における補正係数によって調整される補正量の大きさを示し、図１１（ｂ）は比較のために図９及び図１０に示したように補正係数で変更される補正量の大きさを示している。
【００９０】
図１１（ａ）に示すように、表示領域の中央部（中央領域）における補正量は、補正係数が０％、５０％、１００％又は１５０％であってもいずれも「−２０％」であって変化しない。したがって、いずれの補正係数で調整された補正量で補正を行なっても、中央部の輝度レベルは補正前の輝度レベルに対して一定の輝度レベルとなる。
【００９１】
これに対し、図１１（ｂ）に示すように補正量に補正係数を単に乗じることによって補正量を増減させて変更する場合、表示領域の中央部における補正量は、補正係数が０％、５０％、１００％又は１５０％であるときによって夫々、「０％」、「−１０％」、「−２０％」又は「−３０％」となる。即ち、補正係数の変化で必ず補正量が変更され、補正係数が異なる場合、補正後の中央部の輝度レベルは補正前の輝度レベルに対していずれの場合も一定とならない。また、図１１（ａ）に示した各補正量と比した場合、中央部以外についても補正係数によって大きく補正量が変更され、補正後の輝度レベルは表示領域全体で大きく変化する。
【００９２】
このように本発明の補正方法による場合、表示装置１の状況の変化に応じて補正量を変更して用いる必要性があるとしても、単純に補正係数で補正量を増減する場合と比して、較正の際に対象となる特定の領域（中央部）における補正量は補正係数によって変更されない。したがって、較正によって得られる、階調特性を所定の特性とするための入力階調値と実際の輝度との間の関係、又は色表現を所定の色表現とするための色成分毎の階調値と実際の輝度、色度との間の関係は、少なくとも表示領域の中央部（中央領域）では維持される。また、中央部以外の各周辺領域についても、中央部における補正量を基準にして補正係数によって調整された補正量を用いて補正されるので、較正の際に用いられていた各領域の補正量の分布即ち較正時のムラ分布の傾向が維持されている。これにより、表示表示領域全体の階調特性又は色表現の大きな変化が回避されるので、表示装置１の状況に応じて補正量を変更するとしても再度の較正を不要とすることができ、煩雑さが回避される。
【００９３】
なお、上述に示した補正方法では補正係数を受け付けた場合に、いずれの領域に対しても同一の補正係数を用いて調整後の補正量を算出して用いる構成とした。しかしながら、本発明ではこれに限らず、領域毎に異なる補正係数を用いる構成としてもよい。例えば、補正量を変更する必要がある場合の一の例として、表示部１６を構成する素子又は回路の経時変化、経年劣化等に応じて特性が変化する場合がある。ところが、この場合の変化は表示領域全体で一律に変化するとは限らない。表示部１６では画像を表示する際には放熱し、その熱は表示領域中のより上部へ伝播する。したがって、上部の領域ほど高温となり、特性の変化又は劣化が進む可能性が高い。そこで、上部の領域に対しては中央部及び他の周辺部の領域よりも補正係数を下げ、補正により輝度を低下させ過ぎないようにすべき可能性がある。このような場合には、使用年数に応じて、例えば３年後における上部の領域は、全体に対する補正係数が１００％のときには９０％程度となるようにするなど、使用年数に対して補正係数に対する更なる割合の変化を記憶しておき、補正係数を受け付けた場合、上部の領域に対する補正係数に記憶してある割合を乗じた補正係数を用いて補正量を調整する構成としてもよい。この場合、例えば補正係数として５０％を受け付けた場合には、上部の領域に対しては受け付けた補正係数の９０％である４５％を用いて補正量を調整して用いるようにする。また、表示部１６がパネルの縦横を変更、即ちパネルを９０度又はマイナス９０度回転させて用いることが可能な構成である場合も特性が変化する場合がある。したがって、回転後の上部と下部とで異なる補正係数を用いるようにしてもよい。更に、表示部１６内部にサーミスタ等の温度を計測する機能を有する素子を更に備えておき、各領域の温度を測定して温度に応じて領域毎に補正係数を変えてもよい。
【００９４】
なお、補正量を変更させる必要がある場合とは上述のように、表示部１６を構成する素子又は回路の経時変化、経年劣化等に応じて特性が変化する場合、表示部１６の温度が変化する場合、又はパネルの姿勢が変化する場合である。上述に示した補正方法では補正係数を操作部１７を介してユーザから任意の補正係数を受け付ける構成としても、記憶部１８に記憶してある補正係数を用いる構成としてもよいとした。記憶部１８に記憶してある補正係数を用いる場合、記憶部１８には時間の経過に対応する補正係数、温度に応じた補正係数、又は表示部１６の姿勢に応じた補正係数を記憶しておき、制御部１９がいずれかを選択する構成とすることによって状況に応じた厳密な輝度ムラ、色ムラ補正が実現可能となる。
【００９５】
例えば、記憶部１８には、表示装置１の出荷からの経過年（使用年数）毎に補正係数を記憶しておく。制御部１９は、内蔵するタイマによって計測される時間情報に基づいて出荷からの経過年を取得し、取得した経過年に応じた補正係数を記憶部１８から読み出す。このとき上述のように、経過年及び領域毎に補正係数が記憶部１８に記憶されており、領域毎に補正係数を読み出すようにしてもよい。
【００９６】
また、記憶部１８に表示部１６内部に備えられるサーミスタによって測定される温度に応じた補正係数を記憶しておく場合、制御部１９は測定される温度に応じた補正係数を読み出して補正量を調整して補正を行なう。パネルの姿勢に応じた補正係数を記憶しておく場合も、制御部１９は、現在のパネルの姿勢を検知してそれに応じた補正係数を記憶部８１から読み出して用いる。勿論、記憶部１８に時間の経過（使用年数）に応じた補正係数、温度に応じた補正係数及びパネルの姿勢に応じた補正係数がいずれも記憶されている構成でもよい。この場合制御部１９は、複数の条件に見合った補正係数を記憶部１８から読み出して用いる。
【００９７】
経過年（使用年数）、温度又はパネルの姿勢に応じて記憶してある補正係数を用いつつ、ユーザが操作部１７によって用いられる補正係数を更に微調整することによって補正量が調整できる構成としてもよい。これにより、表示装置１の状況に応じて適正と思われる調整後の補正量を基準に、実際のユーザの感覚によって更に微調整された補正量による補正が可能となり、較正を何度も行なうことなしにフレキシブルな補正が可能となる。
【００９８】
表示装置１内部でムラ補正部１３により補正を実行するので、画像出力装置２で調整する場合よりも各色成分毎の強度を表わす階調の減少を防止して高精細で美しい画像を表示させることができる。
【００９９】
なお、本実施の形態では表示装置１の内部構成は、処理の高速化が要求されていることからＡＳＩＣを構成する各モジュールによって実現する構成とした。しかしながら本発明は、コンピュータ装置に本発明に係る補正方法を実施するコンピュータプログラムをコンピュータ装置に実行させることにより、コンピュータ装置が接続している表示装置で表示する際に、輝度ムラ及び色ムラの補正を実現するようにしてもよい。
【０１００】
図１２は、本発明に係る補正方法をコンピュータ装置で実施する場合の構成を示すブロック図である。この場合、コンピュータ装置３は、ＣＰＵ、ＭＰＵ等の制御部３０と、ハードディスク（Hard Disk）、ＥＥＰＲＯＭ（Electronically Erasable and Programmable Read Only Memory）等の記憶部３１と、ディスクドライブを利用した補助記憶部３２と、補正後の画像信号をモニタ４へ出力する出力部３３とを備える。
【０１０１】
記憶部３１には、コンピュータ装置３が例えば記憶部３１に記憶してある画像データから画像信号を読み出して出力部３３によりモニタ４へ出力するに際し、コンピュータ装置３に本発明に係る補正方法を実施させるための制御プログラム３Ｐが記憶されている。制御プログラム３Ｐには、制御部３０を上述の表示装置１における第１ＬＵＴ１２及び第２ＬＵＴ１４等として機能させるためのモジュールが含まれていてもよい。記憶部３１に記憶される制御プログラム３Ｐは、図示しないＤＶＤ、ＣＤ−ＲＯＭ等の可搬型記録媒体３４に記録されており、制御部３０が補助記憶部３２により可搬型記録媒体３４に記録されていた制御プログラム３５を記憶部３１へ記憶させたものであってもよい。
【０１０２】
このような構成のコンピュータ装置３の制御部３０は、記憶部３１から制御プログラム３Ｐを読み出し、図３のフローチャートに示した処理を実行する。予め求められる補正量は記憶部３１に記憶しておく。補正係数を記憶部３１に記憶しておき、制御部３０がいずれかを選択するようにしてもよい。コンピュータ装置３がユーザによる操作を受け付ける構成を有する場合、ユーザによって補正係数の選択又は入力が可能な構成とし、制御部３０がこれを受け付ける構成とすることが望ましい。
【０１０３】
なお、本実施の形態では、周辺部の低い輝度レベルに表示領域全体の輝度レベルを相当させるような補正を行なうように補正量を求めた。しかしながら、本発明はこれに限らず、中央部の輝度レベルに表示領域全体の輝度レベルを相当させるように各領域の輝度レベルを上げるようにして補正を行なってもよい。また、所定の輝度レベルに相当させるように各領域の輝度レベルを上下させて補正を行なう構成としてもよい。
【０１０４】
また、本実施の形態では特定の領域としての中央部に対する補正量は全く変更されないように補正係数を用いて補正量を調整した。しかしながら、本発明に係る補正方法は、特定の領域の補正量を全く変更しない構成には限定しない。例えば、実測に基づき特定の領域の補正量が「−２０％」と求められた場合、「−２０％」以外に「−１８％」、「−２２％」等、較正によって得られる関係が維持される程度に変更することは許容される。本発明では少なくとも、較正の際に対象となる特定の領域における補正量を多少変更するとしても、特定の領域における補正量を基準として他の領域の補正量を調整して用いる構成により、較正によって得られる階調特性、色表現等の関係が大きく崩れることなく、表示装置の状況に応じて輝度ムラ及び色ムラの補正を行なうことができ、再度の較正が不要となる。
【０１０５】
更に、本実施の形態では特定の領域を中央部とした。しかしながら、本発明に係る補正方法では、特定の領域は中央部に限定されない。
【０１０６】
また、ユーザが補正係数を調整する場合に操作部１７を用いて行なう構成とした。しかしながら、本発明はこれに限らず、表示装置１と通信手段によって接続される外部機器を介して補正係数を調整することが可能な構成としてもよい。例えば、表示装置１にＵＳＢなどの通信線を介して接続されるコンピュータで補正係数の設定を受け付け、当該コンピュータが受け付けた補正係数をＵＳＢを介して表示装置へ送信するようにしてもよい。
【０１０７】
本実施の形態では、表示装置１に全て含まれる各構成により本発明を実現する構成とした。また、コンピュータ装置３においてはコンピュータプログラム（制御プログラム３Ｐ）を読み出して実行する構成とした場合も、構成の全てをコンピュータプログラムによって実現される構成とした。しかしながら本発明はこれに限らず、本発明を実現する構成の一部を表示装置又はコンピュータプログラムのいずれかに担わせる構成としてもよい。例えば、補正係数を受け付けて補正量を算出する処理をコンピュータプログラムを読み出して実行することによって実現し、算出された補正量を用いた各画素の色成分毎の強度の補正は表示装置が備える構成部で行なうようにしてもよい。
【図面の簡単な説明】
【０１０８】
【図１】本発明に係る表示装置の構成を示すブロック図である。
【図２】本実施の形態における表示装置の記憶部に記憶される補正量の内容を示す説明図である。
【図３】本実施の形態における表示装置による補正方法の一例を示すフローチャートである。
【図４】表示装置の記憶部に予め記憶してある補正量及び調整後の補正量の内容例を示す説明図である。
【図５】本実施の形態における表示装置で、調整後の補正量を用いて補正を行なった場合の各領域の補正後の輝度レベルを示す説明図である。
【図６】補正係数が１００％のときの各階調値に対する調整後の補正量及び補正後の輝度レベルを示す説明図である。
【図７】補正係数が５０％のときの各階調値に対する調整後の補正量及び補正後の輝度レベルを示す説明図である。
【図８】補正係数が０％のときの各階調値に対する調整後の補正量及び補正後の輝度をレベルを示す説明図である。
【図９】記憶してある補正量を単に係数を乗じて変更して補正を行なった場合の補正後の輝度レベルの例を示す説明図である。
【図１０】記憶してある補正量を単に係数を乗じて変更して補正を行なった場合の補正後の輝度レベルの例を示す説明図である。
【図１１】本発明に係る補正方法で用いられるムラ補正量を示すグラフ図である。
【図１２】本発明に係る補正方法をコンピュータ装置で実施する場合の構成を示すブロック図である。
【図１３】従来の輝度ムラに対する補正方法を概念的に示す説明図である。
【符号の説明】
【０１０９】
１  表示装置
１３  ムラ補正部
１６  表示部
１７  操作部
１８  記憶部
１９  制御部
３０  制御部
３Ｐ  制御プログラム
【図１】
0004934621.tif 000002
【図３】
0004934621.tif 000003
【図４】
0004934621.tif 000004
【図１１】
0004934621.tif 000005
【図１２】
0004934621.tif 000006
【図２】
0004934621.tif 000007
【図５】
0004934621.tif 000008
【図６】
0004934621.tif 000009
【図７】
0004934621.tif 000010
【図８】
0004934621.tif 000011
【図９】
0004934621.tif 000012
【図１０】
0004934621.tif 000013
【図１３】
0004934621.tif 000014